(57)【特許請求の範囲】
【請求項１】
複数のサービスを受信可能な受信部と、該受信部により受信されたイベント情報に基づき、提供されるサービスと、該サービスに対応するイベントの一覧を示す複数の電子番組ガイドを前記放送提示単位毎に作成する電子番組ガイド作成部と、該電子番組ガイド作成部で作成された電子番組ガイドと、受信しているコンテンツデータと、の表示を行う表示部と、を備える放送受信装置において、
前記電子番組ガイド作成部は、
受信したコンテンツデータに応じた出力が前記表示部から行われているときに、受信中のサービスが属する第１の放送提示単位とは異なる第２の放送提示単位の電子番組ガイドを表示させる第１の指示をユーザから受けると、選局を変えずに取得済みの前記第２の放送提示単位のみからなる電子番組ガイドを作成して前記表示部に表示させるとともに、前記第２の放送提示単位に関する未取得のイベント情報がある場合に、情報取得開始を促す情報取得開始表示を前記表示部に表示させ、前記情報取得開始表示にカーソルを移動させる第２の指示に応じて、該第２の放送提示単位に属するサービスを受信させるように受信部を制御し、第２の放送提示単位に関する未取得のイベント情報を取得して前記表示部に表示させることにより、前記第２の放送提示単位の電子番組ガイドを完成させることを特徴とする放送受信装置。
【請求項２】
前記情報取得開始表示を、前記イベント情報を表示するイベント情報表示領域に表示させることを特徴とする請求項１に記載の放送受信装置。
【請求項３】
前記情報取得開始表示を、前記イベント情報を表示するイベント情報表示領域のうちのイベント情報が取得されていない空き領域に表示させることを特徴とする請求項１又は２に記載の放送受信装置。
【請求項４】
前記電子番組ガイド作成部は、前記第１の指示をユーザから受けたときには、カーソルをサービスの一覧上に表示させ、
前記第２の指示は、カーソルをサービスの一覧上から前記イベントの一覧上への移動に基づくものであることを特徴とする請求項１から３までのいずれか１項に記載の放送受信装置。
【請求項５】
前記受信部で受信されたイベント情報を記憶する記憶部を有し、該記憶部に記憶されているイベント情報に基づいて前記電子番組ガイドを作成することを特徴とする請求項１から４までのいずれか１項に記載の放送受信装置。
【発明の詳細な説明】
【技術分野】
【０００１】
本発明は、放送受信装置に関し、特にイベント情報及びコンテンツデータに基づく出力を変更する際に選局の変更が必要な複数の放送提示単位に属する複数のサービスを受信可能な受信部を有する受信機における電子番組ガイドを利用した放送受信技術に関する。
【背景技術】
【０００２】
近年、テレビジョン放送では、ＣＳ（通信衛星）放送，ＢＳ（放送衛星）放送を初め、地上波放送においても、デジタル化が進められている。ＣＳデジタル放送，ＢＳデジタル放送、地上波デジタルテレビジョン放送などの複数種類のデジタル放送において、放送イベントそのものを構成する映像情報や音声情報（コンテンツデータ）と共に、例えば、イベント名、イベントの放送日時、イベントの内容、イベントの出演者等のようなイベント情報（上記放送イベントに関する情報）が多重化を含むＳＩ（Service Information）もデジタル放送信号に含められて伝送されている。
【０００３】
放送受信装置は、上記ＳＩに基づいて、視聴者がイベント選択に利用しやすいグラフィックユーザインターフェイス（ＧＵＩ）として、電子番組ガイド（Electronic Program Guide：以下、「ＥＰＧ」と称す）を画面に表示させることができる。ＥＰＧを利用すると、画面上で希望するイベントを選択し、選択したイベントの表示や選択したイベントの録画予約を行うことができる。
【０００４】
種々のデジタル放送信号を受信することができる場合に、受信したデジタル放送信号に応じた映像および／または音声を出力しながら、受信したイベント情報に基づいて、種々のデジタル放送のＥＰＧを切り替えて表示することが可能である。
【０００５】
出願人が製造・販売している液晶テレビジョン受像機においては、図７に示す仕組みを有している。図７に示すように、地上デジタル放送を視聴している場合には表示画面１００に地上デジタル放送に基づくコンテンツ１０３が表示されている。ここで、例えばリモコン装置のＥＰＧ表示ボタンを押すと、表示画面１００上に、コンテンツ１０３に重畳されて地上デジタル放送のＥＰＧ１０５が表示される。
【０００６】
ここで、ユーザがリモコン装置によりＢＳ放送のボタンを押すと、表示画面１００上に表示されているＥＰＧは、ＢＳデジタル放送のＥＰＧに切り替わるとともに、チューナ
はＢＳデジタル放送を選局する。従って、地上デジタル放送の映像、音声は出力されなくなり、ＢＳデジタルの映像、音声が出力可能になるが、製造された受信機では映像と音声とはミュートされる。表示画面１００には、ＥＰＧ１４０が表示されているが、このＥＰＧ１４０は、大別するとサービス表示部１４１とイベント表示部１４７とに区分けされている。さらに、リモコン装置の方向選択キーの操作によってＥＰＧのイベント表示部上においてカーソルを移動させることが可能であり、停止したところで決定キーを押すことでその領域に関連付けされているイベントに関する処理、例えば、現在放送中のイベントについては該イベントが属するサービスへの選局処理、未来のイベントについては該イベントの予約処理を行うことができる。サービス表示部１４１は、ＥＰＧ上に表示されている放送提示単位、ここではＢＳデジタル放送、に属するサービスのサービスＩＤ（チャネル番号等）を表示する領域であり、イベント表示部１４７は、サービス表示部に列方向に表示されているチャネル番号と、横方向の時間軸とにより画定されるイベント表示部１４７上にチャネル番号と時間とで決まるイベントの内容（放送の題名等）１４５が表示されている。
【０００７】
図においては、イベント表示部１４７には情報が表示されていない領域が存在する。この領域に関しては、イベント情報が取得できていないことを示している。尚、イベント情報には、ＥＩＴ、ＳＤＴ、ＰＭＴなどに含まれる情報を用い、たとえば、主にＥＩＴを用いＥＩＴに含まれる情報のみでは不足する場合はＳＤＴやＰＭＴに含まれる情報を補助的に用いる等、受信機の仕様に依存して表示される種別が異なる。ある時間が経過すると、未取得のイベント情報が所得でき、イベント表示部１４７のＥＰＧ表示は符号１４７ａで示すように、イベント情報が表示されていなかった領域にもイベント情報が表示されるようになる。
【０００８】
一方、図８は、下記特許文献１に記載の技術の概要を示す図である。図８に示すように、地上デジタル放送を視聴中に表示画面２００にはコンテンツ２０３が表示されている。ここで、リモコン操作によりＥＰＧ２０５を表示させと、表示画面２００のコンテンツ２０３上に地上デジタルのＥＰＧ２０５が重畳される。ここで、リモコン装置によりＢＳデジタルを選択すると、表示画面２００上に表示されるＥＰＧ２０７はＢＳデジタルのＥＰＧに切り替わる。但し、映像、音声は地上デジタルのまま出力されている。チューナの選局が切り替わっていないため、そのまま時間が経過してもイベント情報は取得できず、抜けているイベントは埋まらない。
【０００９】
ＢＳデジタルのある番組（イベント）に関する詳細な情報の表示や予約処理を行なうために、例えばリモコンの方向選択キーでＥＰＧ上に表示されているカーソルを動かし該番組（イベント）を選び、リモコンの所定のボタンを押すと、符号２１１に示すように、イベント情報を取得するためにＢＳデジタル放送を選局する。ここで、地上デジタルの映像・音声は出力されなくなり、一方、例えばＢＳの映像・音声を出力することは可能となるが例えばこの例はミュートされる（商品仕様）。次いで、番組の詳細な情報の表示や予約処理が終了し、ＢＳデジタルのＥＰＧ表示に戻すと、取得されたイベント情報のイベントが表示され、さらに、時間が経過するとイベント情報が取得でき、イベント表示部に残りのイベントが表示される。
【００１０】
このように、特許文献１の放送受信装置では、利用者が詳細情報を取得する目的でそのための操作を行なった場合には、必要な番組情報が表示可能となっている。
【００１１】
【特許文献１】特開２００１−２１１４００号公報（２００１年８月３日公開；段落［００９２］〜［０１００］等）
【発明の開示】
【発明が解決しようとする課題】
【００１２】
しかしながら、実際の液晶テレビでは、他の放送ネットワーク（放送提示単位）のＥＰＧを短い時間だけ閲覧したい場合にも視聴中の番組の映像や音声が途切れてしまうため、使い勝手が悪いという問題があった。
【００１３】
一方、上記特許文献１に記載の技術では、表示されているイベントの詳細情報を見る操作、又は、このイベントの録画予約登録操作を行わない限り、イベントを含むネットワークを選局しないので、イベントに関する情報を取得できず、表示されている以外のイベントについて新たに表示が追加されず、使い勝手が悪かった。また、イベントが表示されていなければ、詳細情報を見る操作や録画予約登録操作が行えないため、イベントに関する情報を取得できないという問題があった。
【００１４】
本発明の目的は、より使い勝手の良いＥＰＧに関連する操作が可能な放送受信技術を提供することである。
【課題を解決するための手段】
【００１５】
本発明の一観点によれば、複数のサービスを受信可能な受信部と、該受信部により受信されたイベント情報に基づき、提供されるサービスと、該サービスに対応するイベントの一覧を示す複数の電子番組ガイドを前記放送提示単位毎に作成する電子番組ガイド作成部と、該電子番組ガイド作成部で作成された電子番組ガイドと、受信しているコンテンツデータと、の表示を行う表示部と、を備える放送受信装置において、前記電子番組ガイド作成部は、受信したコンテンツデータに応じた出力が前記表示部から行われているときに、受信中のサービスが属する第１の放送提示単位とは異なる第２の放送提示単位の電子番組ガイドを表示させる第１の指示をユーザから受けると、前記第２の放送提示単位の電子番組ガイドを作成して前記表示部に表示させるとともに、前記第２の放送提示単位に関する未取得のイベント情報がある場合に、情報取得開始を促す情報取得開始表示を前記表示部に表示させることを特徴とする放送受信装置が提供される。
【００１６】
上記放送受信装置によれば、前記第２の放送提示単位に関する未取得のイベント情報がある場合には、情報取得開始を促す情報取得開始表示を行うことにより、ユーザにさらに取得可能な情報があることを知らせることができる。この際、選局の変更を行なわずに情報を知ることができるため、第１の放送提示単位へ戻る処理が簡単にできる。
【００１７】
前記情報取得開始表示は、前記イベント情報を表示するイベント情報表示領域に表示させることが好ましい。また、前記情報取得開始表示は、前記イベント情報を表示するイベント情報表示領域のうちのイベント情報が取得されていない空き領域に表示させることが好ましい。
【００１８】
空き領域に表示させることで、空きであることをユーザに向けて強調することができるとともに、イベント情報を隠すことによる見にくさを解消する。
前記情報取得開始表示にカーソルを移動させる第２の指示に応じて、該第２の放送提示単位に属するサービスを受信させるように受信部を制御し、第２の放送提示単位に関するイベント情報を取得して該第２の放送提示単位の電子番組ガイドを作成して前記表示部に出力することが好ましい。
【００１９】
前記電子番組ガイド作成部は、前記第１の指示をユーザから受けたときには、カーソルをサービスの一覧上に表示させ、前記第２の指示は、カーソルをサービスの一覧上から前記イベントの一覧上への移動に基づくものであることが好ましい。第２の指示までは選局変更がなされないため、第１の放送提示単位への復帰が容易である。
【００２０】
前記受信部で受信されたイベント情報を記憶する記憶部を有し、該記憶部に記憶されているイベント情報に基づいて前記電子番組ガイドを作成することが好ましい。記憶部に予め格納しておくことで、イベント表示を迅速に行うことができる。
【発明の効果】
【００２１】
本発明によれば、イベントの映像の視聴(viewing)および／または音声の聴取を継続しながら、そのイベントを放送しているサービス（チャンネル）が属する放送提示単位とは異なる放送提示単位に関するＥＰＧを閲覧することができ、かつ、ユーザが直感的に理解できる操作で新たな未取得のイベント情報があることを知らせることができる。
【発明を実施するための最良の形態】
【００２２】
以下、本発明の実施の形態による放送受信装置について図面を参照しつつ説明する。尚、出願人の先の出願である特願２００５−０４９９４９号は、本願の関連発明に関するものである。
【００２３】
以下においては、コンテンツデータ（映像情報や音声情報）および番組配列情報（イベント情報）を含むデジタル放送波を受信し、受信したコンテンツデータに対応する映像情報および／または音声情報を出力すると共に、受信した番組配列情報に基づいてデジタル放送のＥＰＧを表示するデジタル放送受信機能付きテレビ（以下「デジタル放送テレビ」と称する。）を例にして説明を行なう。
【００２４】
デジタル放送としては、現在、ＢＳ（Broadcasting Satellite；放送衛星）を使用してテジタル信号による放送を行うＢＳデジタル放送、ＣＳ（Communication Satellite；通信衛星）を使用してテジタル信号による放送を行うＣＳデジタル放送、地上の電波塔からデジタル化した放送波を送信する地上テジタル放送、の３種類の放送が行われている。図１に示すように、本発明の第１の実施の形態によるデジタル放送テレビＡは、上記の３種類の放送のいずれも受信可能である。また、デジタル放送では、現在、テレビ放送、ラジオ放送、データ放送の３種類のサービスが行われている。これら３つのサービスで提供されるコンテンツは、テレビ放送では映像情報および音声情報、ラジオ放送では音声情報、データ放送では文字情報である。デジタル放送テレビＡは、これら３種類のサービスのいずれにも対応しており、各サービスで提供されるコンテンツを映像および／または音声として出力することができる。なお、サービスの違いは、表示画面の表示レイアウトには関係がないため、以下の説明では、デジタル放送波がテレビ放送のものである場合について説明する。
【００２５】
ここで、現在、日本国で運用されているＢＳデジタル放送、ＣＳデジタル放送、および地上デジタルテレビジョン放送におけるデータ伝送方式について説明する。
【００２６】
現在、日本国で運用されているＢＳデジタル放送、ＣＳデジタル放送、および地上デジタルテレビジョン放送では、１つのトランスポンダ（周波数チャネル）に複数のトランスポートストリーム（以下、「ＴＳ」と略記する）を多重化して伝送している。ＴＳは、社団法人電波産業会（ＡＲＩＢ）の標準規格に従ったデータ構造を有しており、コンテンツデータとしての要素信号（ＥＳ；Elemantary Stream）に対して、イベント情報としての番組配列情報をヘッダとして付加したＴＳパケットで構成されている。
【００２７】
番組配列情報のデータ構造は、ＡＲＩＢ標準規格であるARIB STD-B10 「デジタル放送に使用する番組配列情報標準規格」に従ったものである。番組配列情報は、ＭＰＥＧ（Moving Pictures Expert Group）−２システム規格で規定された伝送制御情報であるＰＳＩ（Program Specific Information；番組特定情報）と、ＥＰＧなどを構築するためのＳＩ（Service Information；サービス情報）とで構成される。  ＰＳＩは、ＴＳが実際に放送されている周波数の情報を含んでいる。ＳＩは、ＢＩＴ（Broadcaster Information Table；放送局情報テーブル）、ＳＤＴ（service Description Table；サービス記述テーブル）、ＥＩＴ（イベント情報テーブル）、およびＴＯＴ（Time Offset Table；時刻オフセットテーブル）の４つのテーブルで構成されている。ＢＩＴは、ネットワーク内の放送局に関する情報を記載したものである。ＳＤＴは、ＴＳ情報部とサービス情報部とに分かれている。ＴＳ情報部は、ネットワークを識別するためのネットワークＩＤと、ＴＳを識別するためのＴＳ ＩＤ（IDentifier）とを含んでいる。ＢＳネットワークには、ネットワークＩＤ「４」が割り当てられている。また、ＣＳ１ネットワークおよびＣＳ２ネットワークにはそれぞれ異なる値のネットワークＩＤが割り当てられている。また、地上デジタルテレビジョン放送では、同じ地域では各放送局ごとに異なる値のネットワークＩＤが割り当てられている。サービス情報部は、ネットワーク内で個々のサービス（チャンネル）を識別するための識別子であるサービスＩＤ（いわゆるチャンネル番号）を含んでいる。ＥＩＴは、イベントごとの番組情報を記載したものであり、サービス情報部とイベント情報部とに分かれている。サービス情報部は、ネットワーク内で個々のサービス（チャンネル）を識別するための識別子であるサービスＩＤ（いわゆるチャンネル番号）を含んでいる。イベント情報部は、イベントＩＤ、イベント開始時刻、イベント継続時間、イベントの名称（番組タイトル）、イベントのジャンルなどを含んでいる。ＴＯＴは、現在時刻を記載したものである。
【００２８】
なお、番組配列情報のデータ構造の詳細については、ＡＲＩＢより頒布されている図書『ARIB STD-B10 「デジタル放送に使用する番組配列情報標準規格」 4.0版』（平成１６年１２月１４日策定）に記載されている。
【００２９】
図１に示すように、本実施の形態によるデジタル放送テレビＡは、チューナ１６と、出力部としてのスピーカ６および表示パネル７とを備えている。また、デジタル放送テレビＡは、外部のリモコン８（図２に示し、詳細な構成に関しては後述する）の操作に基づく指示信号（信号光）を受け取り、受け取った指示信号に応じた動作を行う。
【００３０】
チューナ１６は、図１に示すように、デジタル復調部（受信部）２、デマルチプレクサ９、ＡＶデコーダ４、音声制御部１１、表示制御部１３、番組配列情報記憶部５、リモコン受光部１４、および制御部３を備えている。
【００３１】
デジタル復調部２は、ＢＳデジタル放送、ＣＳデジタル放送、または地上デジタルテレビジョン放送のデジタル放送波（デジタル放送信号を搬送する高周波の放送波）をデジタル放送の放送局から受信する外部のアンテナ１に接続されている。図１ではアンテナ１を１つのものとして記載したが、実際には、アンテナ１は、ＢＳデジタル放送、ＣＳデジタル放送、または地上デジタルテレビジョン放送の各々のための３つのアンテナであっても良い。地上デジタルテレビジョン放送信号（放送波）は、地上のデジタルテレビジョン放送の放送局から送信され、地上デジタルテレビジョン放送用アンテナで受信される。
【００３２】
デジタル復調部２は、所望のサービスのチャンネルに同調することで、アンテナ１で受信されたデジタル放送信号の中から所望のサービスのデジタル放送信号を取り出すと共に、デジタル放送信号をベースバンドのビットストリーム信号に復調する。この所望のサービスのチャンネルのデジタル放送波に同調することで所望のサービスのデジタル放送信号を取り出す動作は、選局と呼ばれる。デジタル復調部２は、後述する選局制御部１５からの指示により、選局（同調）するサービスを選択する。
【００３３】
デジタル放送信号には、前述したように、映像データや音声データ等のコンテンツデータと、番組配列情報とが含まれており、それゆえ、デジタル復調部２で復調されたビットストリーム信号にも、コンテンツデータと番組配列情報とが含まれている。デジタル復調部２で復調されるビットストリーム信号は、イベントのコンテンツデータのビットストリーム信号、番組配列情報のビットストリーム信号などを多重化したものである。
【００３４】
デマルチプレクサ９は、このデジタル復調部２で復調された、多重化されたビットストリーム信号から、番組配列情報のビットストリーム信号を取り出す。すなわち、デマルチプレクサ９は、多重化されたビットストリーム信号を、映像情報（動画情報、静止画情報、文字情報など）のビットストリーム信号、音声情報のビットストリーム信号、番組配列情報のビットストリーム信号などに分離する。デマルチプレクサ９は、番組配列情報を番組配列情報記憶部５に記憶させる。また、デマルチプレクサ９は、映像情報および音声情報のビットストリーム信号をＡＶデコーダ４に送る。なお、ビットストリーム信号に含まれる番組配列情報は、ＢＳデジタルのテレビ放送の場合、通常、約１週間分（例えば８日間）のＥＰＧに関するものである。番組配列情報には、イベントの名称、イベントの放送日時、イベントの内容、イベントの出演者等のイベントに関する情報が含まれている。
【００３５】
ＡＶデコーダ４は、デマルチプレクサ９から送られた映像情報（圧縮された映像情報）のビットストリーム信号を、表示パネル７で処理可能な形式の映像信号に復号する処理を行い、処理により得られた映像信号を後述する表示制御部１３を介して後述する画像合成部１２に送ると共に、デマルチプレクサ９から送られた音声情報（圧縮された音声情報）のビットストリーム信号を、スピーカ６で処理可能な形式の音声信号に復号し、音声制御部１１を介してスピーカ６に送る。スピーカ６は、ＡＶデコーダ４から送られた音声信号に応じて音声を出力する。なお、放送信号に含まれる圧縮された映像情報の圧縮形式には、例えばＭＰＥＧ(Motion Picture Experts Group)−２ Videoを用い、放送信号に含まれる圧縮された音声情報の圧縮形式には、例えばＭＰＥＧ−２ Audio AACを用いる。これら圧縮形式は、これに限るものではなく、例えば動画像符号化技術の国際標準方式であるＭＰＥＧ−４ VisualやＨ．２６４（ＭＰＥＧ−４  ＡＶＣ）等を映像情報の圧縮形式として用いてもよい。
【００３６】
音声制御部１１は、後述するＥＰＧ作成部１０からの指示に基づいて、スピーカ６への音声信号の出力を制御（停止等）させる。
【００３７】
表示制御部１３は、後述するＥＰＧ作成部１０からの指示に基づいて、画像合成部１２への映像信号の出力を制御（停止等）し、その結果として、受信している放送信号に対応するイベントの映像の表示パネル７への表示を停止させる。番組配列情報記憶部５は、デマルチプレクサ９で取り出された番組配列情報のビットストリーム信号を記憶する。
【００３８】
リモコン受光部１４は、ユーザが外部のリモコン８に入力した指示に応じた信号を外部のリモコン８から赤外線で受信し、受信した信号に基づいてユーザがリモコン８に入力した指示を判別し、その指示に応じた指示信号を制御部３に送る。
【００３９】
制御部３は、ＥＰＧを表示させるユーザの指示を指示信号として受け、この指示信号に基づいて、デジタル放送テレビＡにおける各種構成要素の動作を統括的に制御するものである。制御部３は、ＥＰＧ作成部１０、画像合成部１２、および選局制御部１５を含んでいる。
【００４０】
ＥＰＧ作成部１０は、利用可能な複数のサービスを複数の放送提示単位に分け、番組配列情報記憶部５に記憶された番組配列情報に基づき（より詳細には番組配列情報のＳＩに含まれるＥＩＴに基づき）、放送提示単位別の複数のＥＰＧの画像信号を、ユーザの指示に応じて切り替えながら作成する。上記ＥＰＧは、対応する放送提示単位に属する複数のサービスの一覧と、それら複数のサービスの一覧と、を示すものである。ここでは、上記複数の放送提示単位は、イベント情報の配信方式に係る運用規定（標準規格）が互いに異なるＢＳデジタル放送、ＣＳデジタル放送、および地上デジタルテレビジョン放送の３つである。したがって、本実施の形態では、ＥＰＧ作成部１０は、地上デジタルテレビジョン放送のＥＰＧ、ＢＳデジタル放送のＥＰＧ、およびＣＳデジタル放送のＥＰＧのいずれかを切り替えて作成するようになっている。また、ＥＰＧは、縦方向にサービスＩＤ順（チャンネル番号順）にイベント情報を配列させ、かつ、横方向を時間軸として時間順にイベント情報を配列させたマトリクス状のＥＰＧである。ＥＰＧ作成部１０は、１つの放送提示単位で利用可能な全てのサービスに関するＥＰＧの少なくとも一部サービスに対応する部分を表示パネル７に表示させるようにＥＰＧの画像信号を作成する。ＥＰＧ作成部１０は、作成したＥＰＧ画面の画像信号を画像合成部１２に送る。
【００４１】
ＥＰＧ作成部１０は、リモコン８からリモコン受光部１４を介して、カーソルをＥＰＧ画面のサービス表示部からイベント表示部に移動させる指示（第２の指示）を受けると、視聴中のイベントを放送しているサービスが属する放送提示単位とは異なる他の放送提示単位の番組配列情報を取得する指示を選局制御部１５に送ると共に、取得され番組配列情報記憶部５に記憶された番組配列情報を読み出すことで、視聴中のイベントを放送しているサービスが属する放送提示単位とは異なる他の放送提示単位の番組配列情報を取得する。
【００４２】
また、ＥＰＧ作成部１０は、リモコン８からリモコン受光部１４を介して、カーソルをＥＰＧ画面のサービス表示部からイベント表示部に移動させる指示（第２の指示）を受けると、音声制御部１１および表示制御部１３に対してそれぞれ、スピーカ６への音声信号の出力、および画像合成部１２への映像信号の出力を停止させる指示を送り、その結果として、表示パネル７におけるイベントの映像の表示、およびスピーカ６における放送イベントの音声の出力を停止させる。
【００４３】
また、ＥＰＧ作成部１０は、リモコン８からリモコン受光部１４を介して、カーソルを移動させる指示（カーソルキー２６〜２９による指示）を受けると、その指示に基づいて、カーソルを移動させてＥＰＧ画面上に表示させる処理を行うようになっている。また、ＥＰＧ作成部１０は、サービス表示部や日時表示部のハイライト表示処理も行うようになっている。
【００４４】
画像合成部１２は、ＥＰＧ作成部１０から送られたＥＰＧ画面の画像信号をＡＶデコーダ４から送られたイベントの映像信号と合成し、得られた映像信号を表示パネル７に出力する。これにより、画像合成部１２は、ＥＰＧ作成部１０が作成したＥＰＧ画面の画像を、ＡＶデコーダ４からの映像信号に対応する映像（放送イベントの映像）に重畳して表示パネル７に表示させる。このように表示させることで、ユーザは、放送イベントを視聴中にＥＰＧを確認することができる。なお、通常の視聴状態においては、ＥＰＧ作成部１０からＥＰＧ画面の画像信号が送られないので、画像合成部１２は、ＡＶデコーダ４から送られた映像信号を表示パネル７にそのまま出力する。
【００４５】
選局制御部１５は、リモコン８からリモコン受光部１４を介して、サービスを選局する指示や、後述する放送提示単位の切り替え指示を受け、指示に応じて、選局するチャンネルを切り替えるようにデジタル復調部２を制御する。また、選局制御部１５は、ＥＰＧ作成部１０からの指示も受け取ることができ、ＥＰＧ作成部１０から、視聴中のイベントを放送しているサービスが属する放送提示単位とは異なる他の放送提示単位の番組配列情報を取得する指示を受けると、選局するチャンネルを他の放送提示単位の番組配列情報を送信している少なくとも１つのチャンネルに切り替えるようにデジタル復調部２を制御する。
【００４６】
表示パネル７は、画像合成部１２から送られた、イベントの映像および／またはＥＰＧ画面を含む映像の信号を映像として出力する。表示パネル７は、特に限定されるものではなく、液晶ディスプレイパネル、プラズマディスプレイパネル、有機ＥＬディスプレイパネル等である。また、表示パネル７に代えて、ＣＲＴ（cathode ray tube）ディスプレイや投射型表示装置（プロジェクタ）などを用いてもよい。
【００４７】
図２に示すように、リモコン８は、ユーザがデジタル放送テレビＡ（図１、以下、図１を参照する。）に指示を入力するためのキー群を備え、そのキー群の操作に応じて各種指示を表す信号をリモコン受光部１４へ送る。キー群は、デジタル放送テレビＡの表示パネル７にＥＰＧ画面を表示させるための番組表キー２０、３つの放送切換キー２１、ＥＰＧ画面上でカーソルのある位置のイベント（現在選択しているイベント）を選局あるいは予約するための決定キー２５、ＥＰＧ画面上のカーソルを上へ移動させるための上カーソルキー２６、ＥＰＧ画面上のカーソルを左へ移動させるための左カーソルキー２７、ＥＰＧ画面上のカーソルを右へ移動させるための右カーソルキー２８、およびＥＰＧ画面上のカーソルを下へ移動させるための下カーソルキー２９を備えている。例えば、イベントの映像の表示中に番組表キー２０が押されると、そのイベントを放送しているサービスの属する放送提示単位のＥＰＧ画面を起動する指示を表す信号を送る。
【００４８】
放送切換キー２１は、放送ネットワークの切り替えを指示するためのキーであり、地上デジタルテレビジョン放送キー２２、ＢＳデジタル放送キー２３、ＣＳデジタル放送キー２４の３つのキーにより構成されている。
【００４９】
放送切換キー２１は、ＥＰＧを放送イベントの映像に重畳表示しているときには、ＥＰＧ作成部１０が作成するＥＰＧを、ある放送提示単位のＥＰＧから別の放送提示単位のＥＰＧに切り替える指示を入力するキーとして機能する。
【００５０】
また、放送切換キー２１は、ＥＰＧを表示することなく放送イベントの映像を表示しているときには、デジタル復調部２が選局するチャンネルを、ある放送提示単位のチャンネルから別の放送提示単位のチャンネルに切り替える指示を入力するキーとして機能する。ＥＰＧが表示されることなく放送イベントの映像が表示パネル７に表示された状態で、現在表示中の放送イベントの放送提示単位と異なる放送提示単位に対応する放送切換キー２１からの入力があった場合、デジタル復調部２が、入力された放送切換キー２１に対応する放送提示単位（例えばＣＳデジタル放送）の１つのサービスに同調して放送中のイベントのコンテンツデータを取得し、その放送中のイベントの映像を表示パネル７に表示する。例えば、ＣＳデジタル放送キー２４が選択された場合、デジタル復調部２がＣＳデジタル放送の１つのサービスに同調して放送中のイベントのコンテンツデータを取得し、その放送中のイベントの映像を表示パネル７に表示する。
【００５１】
以下においては、まず、上記特願２００５−０４９９４９号に関する技術の概要について図３を参照しつつ説明を行なう。図３に示すように、デジタル放送テレビの表示画面３００においては、現在、地上デジタル放送によりコンテンツを視聴しているものとする。図１、図２を適宜参照する。ここで、リモコン装置によりＥＰＧを表示させるためのボタン２０を押すと、表示画面３００上に地上デジタルのＥＰＧ３０５がコンテンツ３０３に重畳されて表示される。
【００５２】
次いで、ユーザがリモコン装置のＢＳボタン２３を押すと、表示画面はＢＳデジタルのＥＰＧに切り替わる。但し、映像、音声は地上デジタルのままである。カーソルがサービス表示部３０６にあり、時間が経過しても、イベント情報のさらなる取得は行われずに、イベント情報表示部３１５のうち情報が抜けている空き領域３０７については情報により埋められることがない。
【００５３】
カーソルをサービス表示部３０６からイベント表示部３１５に移動させると、選択されたＥＰＧと対応するＢＳデジタル放送が選局され、地上デジタル放送の映像、音声は出力されず、ＢＳデジタル放送の映像・音声はミュートされている。時間が経過すると、イベント情報が取得でき、イベント表示部の空き領域３０７がイベント情報により埋められる。
【００５４】
次に、本発明の実施の形態によるデジタル放送テレビについて説明を行なう。図４は、本実施の形態によるデジタル放送テレビにおけるＥＰＧ関連技術の概要を示す図である。適宜、図１、２を参照しながら説明を行う。図４に示すように、地上デジタル放送を視聴中であり、表示画面５０には地上デジタル放送のコンテンツ５３が表示されている。カーソルはサービス表示部６１を指示している。この状態において、ユーザがリモコン装置のＥＰＧボタン２０を押すと、ＢＳデジタルのＥＰＧに切り替わる。映像・音声は地上デジタルのままである。この状態においては、時間が経過してもイベント情報は取得できないため、取得済みのイベント情報は既に埋められている状態を保持するが、イベント表示部５７の空き領域５８におけるイベント情報は埋まっていかない。
【００５５】
ここで、リモコンＢＳボタンを押した場合に、表示画面５０のイベント表示部５７に、本実施の形態においては、例えば、「カーソル右キーで情報取得開始」というような表示が行われる。ユーザが、この表示を見て、この表示を目標にしてカーソル右キーを操作すると、カーソルが右方向へ移動し、イベント表示部５７に至ると、チューナがＢＳに切り替わり、実際の情報取得を開始させることができる。すなわち、上記表示は、ユーザの理解を深めるとともに操作を促すための表示として機能する。
【００５６】
実際にリモコンの移動ボタン２８により表示画面５０の向かって右側へカーソルを移動させる操作を行なうと、カーソルがサービス表示部６１からイベント表示部５７に向けて移動する。カーソルの移動を検出すると、ＥＰＧ表示されているサービスに対応する放送、この場合にはＢＳ放送を選局するように切り替わる処理が行なわれる。この際、地上デジタルの映像・音声は出力されなくなり、ＢＳデジタル放送の映像・音声が出力可能になるが、ここではミュートしておいても良い。この状態では、ＢＳデジタル放送のＥＰＧに関するイベント情報が新たに取得可能であるため、空き領域７１は時間の経過に伴って情報で埋められていく。最終的には、取得可能なイベント情報７５は図５にも示されるようにＥＰＧのイベント表示部４５に全て表示させることができる。
【００５７】
以上に説明したように、本発明の第１の実施の形態による放送受信装置によれば、ある番組を視聴しながら、他の放送のＥＰＧを表示することができるため、ＥＰＧ関連の使い勝手が向上する。また、サービス表示部からイベント表示部におけるカーソルの移動を促す表示であってさらにイベント情報が取得可能なことを意味する表示に向けてカーソルを移動させる操作により、現在表示されているイベント情報以外の情報について新たに追加されて表示されるため、利便性が増すという利点がある。
【００５８】
次に、本発明の第２の実施の放送受信装置について図面を参照しながら説明を行う。本実施の形態による放送受信装置と第１の実施の形態による放送受信装置との相違点は、図４に示すように、リモコンＢＳボタンを押した場合に、表示画面５０のイベント表示部５７に、例えば、「カーソル右キーで情報取得開始」というような表示を行う際に、上記の「カーソル右キーで情報取得開始」というような表示を、イベント表示部５７のうちの空き領域５８に表示させることを特徴とする。
【００５９】
このように空き領域５８に表示させることにより、現在のＥＰＧ表示が上記の表示により隠れてしまうことがなく、ＥＰＧ表示がより見やすくなるという利点がある。
【００６０】
次に、上記第１及び第２の実施の形態における処理の流れについて図６に示すフローチャート図を参照しつつ説明を行なう。図６に示すように、処理を開始すると（ＳＴＡＲＴ）、ステップＳ１において、何れかの放送提示単位への切替キーが押されか否かを監視しておき、キーが押された場合には（ＹＥＳ）、ステップＳ２に進みステップＳ１で押された放送提示単位が、現在表示している放送提示単位と異なるか否かを判断する。異なる場合には（ＹＥＳ）、ステップＳ３に進む。ステップＳ１、Ｓ２においてＮＯの場合には、ステップＳ１に戻る。
【００６１】
ステップＳ３に進んだ場合には、ステップＳ１で押された放送提示単位のＥＰＧに表示が切り替わる。ステップＳ４においては、ＥＰＧ内に移動可能表示を行なう。第１の実施の形態の場合には、移動可能表示をイベント表示部に、第２の実施の形態においては異動可能表示に向けて移動させる。
【００６２】
次いで、ステップＳ５において、リモコンの移動ボタンにより移動可能表示に向けてカーソルを移動させる操作が行われたか否かを判断する。カーソルが移動可能表示に向けて移動していると判断した場合には（ＹＥＳ）ステップＳ６に進み、カーソルが移動していない場合には（ＮＯ）ステップＳ１０に進む。ステップＳ６に進むと、ステップＳ１で押された放送提示単位を選局し、元の映像・音声は停止する。ステップＳ７に進み、ステップＳ１で押された放送提示単位イベント情報をイベント表示部に表示する。次いで、ステップＳ８において、ステップＳ１で切り替えられた前の放送提示単位が選択されたかどうかを判断し、異なる放送提示単位が選択された場合には（ＮＯ）、ステップＳ９に進み、ステップＳ１で押された放送表示単位を継続して表示を行なう。
【００６３】
ステップＳ８で、同じ放送提示単位が選択されたものと判断された場合ｎｉｈａ（Ｙｅｓ）、ステップＳ１１に進む。また、ステップＳ１０である一定時間が経過した場合にもステップＳ１１に進み、元の放送提示単位に戻る。以上の処理により、必要なイベント情報を取得することができる。
【００６４】
以上のように、本発明の実施の形態によるデジタル放送受信装置によれば、例えば、ユーザが、地上デジタル放送のイベントを視聴中に、ＢＳデジタル放送のＥＰＧに表示されているチャンネル番号（サービスＩＤ）だけを確認したい場合には放送選択操作を行い、さらにイベント情報を取得可能である旨の表示があった場合には、例えば、ユーザが右カーソル８を押し、イベント表示部の上記表示に向けてカーソルを移動させる操作を行うことにより、簡単に表示させたいイベント情報を取得し表示させることができるという利点がある。
【００６５】
なお、上述したデジタル放送テレビＡでは、サービス表示部４１（図５）からイベント表示部へカーソルを移動させるためのカーソルキーが、右カーソルキーであったが、これは、イベント表示部がサービス表示部の右にあるためである。したがって、サービス表示部に対するイベント表示部の位置関係に応じて、サービス表示部４１（図５）からイベント表示部へカーソルを移動させるためのカーソルキーは適宜変更可能である。また、サービス表示部からイベント表示部へカーソルを移動させるための操作は、リモコンの十字キーを用いた操作に限定されるものではなく、デジタル放送テレビ本体の十字キーを用いた操作や、ポインティングデバイスなどの他の入力機器を用いた操作であってもよい。
【００６６】
また、上記の説明では、本発明の放送受信装置が、テレビジョン放送信号を受信し、受信イベントの音声を出力しながらＥＰＧを受信イベントの映像に重畳させて表示する場合について説明したが、本発明は、ラジオ放送信号を受信し、受信イベントの音声を出力しながらＥＰＧを表示させるものや、文字放送信号を受信し、受信イベントの文字を出力しながらＥＰＧを表示させるもの、テレビジョン放送信号を受信し、ＥＰＧを受信イベントの映像と並べて表示するものなどにも適用可能である。
【００６７】
また、上記の説明では、本発明の放送受信装置が、ＢＳデジタル放送、ＣＳデジタル放送、地上波デジタルテレビジョン放送の３つの放送提示単位に関するＥＰＧを切り替えて表示するものであったが、切り替えられる複数の放送提示単位は、特に限定されるものではなく、例えば、ＢＳデジタル放送、ＣＳ１ネットワーク、ＣＳ２ネットワーク、地上波デジタルテレビジョン放送の４つの放送提示単位であってもよい。
【００６８】
また、上述の説明では、本発明の放送受信装置が、デジタル放送波を受信し、受信したデジタル放送波に含まれる番組配列情報に基づいてデジタル放送のＥＰＧを表示するデジタル放送受信機能付きテレビである場合について説明したが、これに限るものではない。本発明の放送受信装置は、ケーブルテレビ回線や光ファイバー回線を通してデジタル放送信号を受信し、受信したデジタル放送信号に含まれるＥＰＧデータに基づいてデジタル放送のＥＰＧを表示するテレビなどにも適用可能である。
【００６９】
また、上述の説明では、ＥＰＧが、通常のＥＰＧであったが、これに限定されるものではなく、裏番組表であってもよい。裏番組表とは、現在表示しているイベント以外の現時点で放送されているイベント（いわゆる裏番組）の情報を示すＥＰＧである。
【産業上の利用可能性】
【００７０】
本発明は、複数種類のデジタル放送を受信可能なテレビにおけるＥＧＰ作成技術として利用できる。
【図面の簡単な説明】
【００７１】
【図１】本発明の一実施の形態による放送受信装置の一構成例を示す機能ブロック図である。
【図２】放送受信装置を操作するためのリモコン装置の操作部の構成例を示す図である。
【図３】先の出願に係るＥＰＧ表示技術の概要を示す図である。
【図４】本発明の実施の形態によるＥＰＧ表示技術の概要を示す図である。
【図５】ＥＰＧ表示画面の一例を示す図である。
【図６】本実施の形態によるＥＰＧ表示処理の流れを示すフローチャート図である。
【図７】第１の従来技術によるＥＰＧ表示技術の概要を示す図である。
【図８】第２の従来技術によるＥＰＧ表示技術の概要を示す図である。
【符号の説明】
【００７２】
１  アンテナ
２  デジタル復調部（受信部）
３  制御部
４  ＡＶデコーダ
５  番組配列情報記憶部
６  スピーカ（出力部）
７  表示パネル（出力部）
８  リモコン
９  デマルチプレクサ
１０  ＥＰＧ作成部
１１  音声制御部
１２  画像合成部
１３  表示制御部
１４  リモコン受光部
１５  選局制御部
１６  チューナ
２０  番組表キー
２１  放送切換キー
２２  地上デジタルテレビジョン放送キー
２３  ＢＳデジタル放送キー
２４  ＣＳデジタル放送キー
２５  決定キー
２６  上カーソルキー
２７  左カーソルキー
２８  右カーソルキー
２９  下カーソルキー
Ａ  デジタル放送テレビ（放送受信装置）
【図１】
0004783604.tif 000002
【図２】
0004783604.tif 000003
【図３】
0004783604.tif 000004
【図４】
0004783604.tif 000005
【図５】
0004783604.tif 000006
【図６】
0004783604.tif 000007
【図７】
0004783604.tif 000008
【図８】
0004783604.tif 000009